(57)【要約】【課題】移動通信システムにおける無線移動局装置が、最適な無線基地局を選択して通話やデータ通信を行えるようにする。【解決手段】無線移動局装置に、受信レベルの第1の閾値、及び該第1の閾値よりも小さい第２の閾値を記憶しておき、接続中の基地局からの受信信号の受信レベル（選択局受信レベル）を検出すると、前記選択局受信レベルが前記第1の閾値よりも大きい第1の場合は、接続中の基地局との接続状態を維持し、前記選択局受信レベルが前記第２の閾値以下である第２の場合は、基地局サーチして、他の基地局からの受信信号のうち受信レベルが最大の基地局を接続基地局として選択し、前記選択局受信レベルが前記第1の閾値以下であって、かつ前記第２の閾値よりも大きい第３の場合は、該第３の場合の状態が所定時間を超えて継続したときに、基地局サーチして、他の基地局からの受信信号のうち受信レベルが前記第1の閾値より大きい基地局があると、これを接続基地局として選択する。【選択図】図２
2010219997.tif 000002
【特許請求の範囲】
【請求項１】
移動無線通信システムにおける無線移動局装置であって、  
基地局装置と無線移動局装置の間で無線通信される信号を送受信する無線送受信部と、  
前記無線送受信部で受信した受信信号に基づき、受信レベルの検出を行う受信レベル検出部と、  
受信レベルの第1の閾値、及び該第1の閾値よりも小さい第２の閾値を記憶する記憶部と、  
前記受信レベル検出部で検出した受信レベルと、前記記憶部に記憶した前記第1の閾値及び第２の閾値とを比較する受信レベル比較部と、  
接続中の基地局以外の、他の基地局からの受信信号を受信するよう基地局サーチする基地局サーチ部と、  
前記基地局サーチにより他の基地局から受信した受信信号の受信レベルに基づき、接続する基地局を選択する基地局選択部とを備え、  
前記受信レベル検出部が、接続中の基地局からの受信信号の受信レベルである選択局受信レベルを検出すると、前記受信レベル比較部が、前記選択局受信レベルと、前記記憶部が記憶した第1の閾値及び第２の閾値とを比較し、  
前記選択局受信レベルが前記第1の閾値よりも大きい第1の場合は、接続中の基地局との接続状態を維持し、  
前記選択局受信レベルが前記第２の閾値以下である第２の場合は、前記基地局サーチ部が、他の基地局からの受信信号を受信するよう基地局サーチし、前記基地局選択部が、他の基地局からの受信信号のうち受信レベルが最大の基地局を接続基地局として選択し、  
前記選択局受信レベルが前記第1の閾値以下であって、かつ前記第２の閾値よりも大きい第３の場合は、該第３の場合の状態が所定時間を超えて継続したときに、前記基地局サーチ部が、他の基地局からの受信信号を受信するよう基地局サーチし、前記基地局選択部が、他の基地局からの受信信号のうち受信レベルが前記第1の閾値より大きい基地局があると、これを接続基地局として選択することを特徴とする無線移動局装置。
【発明の詳細な説明】
【技術分野】
【０００１】
本発明は、例えば、移動無線通信システムにおける無線移動局装置において、ハンドオーバを行う場合の基地局選択処理技術に関する。
【背景技術】
【０００２】
従来の無線移動局装置の動作について説明する。  
無線移動局装置が、通信中に、複数の無線基地局のエリア間を移動する場合、旧エリアの無線基地局との通信を、新たな接続先エリアの無線基地局との通信に切り替えて、通話やデータ通信等の通信を継続するハンドオーバ処理が行われている。  
このハンドオーバ処理を行う際において、新たな接続先エリアの無線基地局の選択は、次のように行われていた。すなわち、それまで接続中の無線基地局から受信した電波の受信信号レベルが所定の閾値以下となった場合に、接続中の無線基地局以外の、他の無線基地局から受信した電波の受信信号レベルの検出を行い、検出した受信信号レベルが最大の無線基地局を選択して接続処理を行っていた。このとき、上記の所定の閾値を高めに設定すると、回線品質は良くなるが、接続可能な他の無線基地局を探索する基地局サーチが頻繁に行われることになる。基地局サーチを頻繁に行うと消費電力が増大するため、上記所定の閾値は、「通信は可能だが回線品質は良好ではない」といった受信信号レベルに設定されていた。
【０００３】
このように従来は、それまで接続中の無線基地局からの電波の受信信号レベルが所定の閾値（通信は可能だが回線品質は良好ではない受信信号レベル）以下となった場合に、他の無線基地局からの受信信号レベルを調べ、受信信号レベルが最大の無線基地局を選択して接続するようにしていたため、接続中の無線基地局より受信信号レベルの大きい他の無線基地局が存在していても、接続中の無線基地局からの電波の受信信号レベルが所定の閾値（通信は可能だが回線品質は良好ではない受信信号レベル）以下とならない限り、無線基地局を切り替えることができず、必ずしも受信信号レベルの適切な無線基地局を選択できているとは限らなかった。
【０００４】
また、受信信号レベルが最大の無線基地局を選択するため、複数の無線移動局装置の接続する選択基地局が、受信信号レベルの大きい特定の基地局に偏ることがあり、その場合、受信信号レベルが所定の閾値（通信は可能だが回線品質は良好ではない受信信号レベル）以下となるまで選択基地局を変更しないため、選択基地局の偏りが継続されやすかった。
【０００５】
また、接続中の無線基地局からの電波の受信信号レベルが所定の閾値（通信は可能だが回線品質は良好ではない受信信号レベル）以下にならないと、基地局切り替えの選択処理をおこなわないため、基地局切り替え時点においては、受信信号レベル、すなわち、回線品質が相当に悪化してしまうことがあった。
【０００６】
また、ある無線基地局からの電波の受信信号レベルが、フェージング等により、瞬間的にたまたま所定の閾値より大きくなった場合に、その無線基地局を選択してしまうと、結果的にハンドオーバに失敗をしてしまうことがあった。
【０００７】
特許文献１には、通信中に無線基地局からの電波状態が劣化すると、他の無線基地局からの電波の受信信号レベルを検出し、その検出レベルが予め無線通信機に設定されている第１の閾値より大きい場合は、その無線基地局に対してハンドオーバ要求を行い、検出レベルが第１の閾値より小さい場合は、その状態が所定の期間継続した場合に、第１の閾値より小さく設定された第２の閾値よりも大きい検出レベルの無線基地局に対してハンドオーバ要求を行うことが記載されている。
【先行技術文献】
【特許文献】
【０００８】
【特許文献１】特開２００８−２８３３３２号公報
【発明の概要】
【発明が解決しようとする課題】
【０００９】
しかしながら、上述のような従来の無線移動局装置の基地局選択処理においては、接続中の無線基地局からの電波の受信信号レベルが、無線基地局を切り替えるレベルであるかどうかを判定するための閾値が１種類であるため、その閾値を「通信は可能だが回線品質は良好ではない」といった受信信号レベルに設定せざるを得ず、その結果、必ずしも受信信号レベルの適切な無線基地局を選択できているとは限らない、又は、基地局切り替え時点においては回線品質が相当に悪化してしまう、あるいは、選択基地局が偏りやすいという問題があった。  
本発明は、このような従来の課題を解決するために為されたもので、適切な無線基地局を選択して通話やデータ通信を行うことのできる無線移動局装置を提供することを目的とする。
【課題を解決するための手段】
【００１０】
上記目的を達成するため、本発明では、無線移動局装置を次のような構成とした。すなわち、  
移動無線通信システムにおける無線移動局装置であって、  
基地局装置と無線移動局装置の間で無線通信される信号を送受信する無線送受信部と、
前記無線送受信部で受信した受信信号に基づき、受信レベルの検出を行う受信レベル検出部と、  
受信レベルの第1の閾値、及び該第1の閾値よりも小さい第２の閾値を記憶する記憶部と、  
前記受信レベル検出部で検出した受信レベルと、前記記憶部に記憶した前記第1の閾値及び第２の閾値とを比較する受信レベル比較部と、  
接続中の基地局以外の、他の基地局からの受信信号を受信するよう基地局サーチする基地局サーチ部と、  
前記基地局サーチにより他の基地局から受信した受信信号の受信レベルに基づき、接続する基地局を選択する基地局選択部とを備え、  
前記受信レベル検出部が、接続中の基地局からの受信信号の受信レベルである選択局受信レベルを検出すると、前記受信レベル比較部が、前記選択局受信レベルと、前記記憶部が記憶した第1の閾値及び第２の閾値とを比較し、  
前記選択局受信レベルが前記第1の閾値よりも大きい第1の場合は、接続中の基地局との接続状態を維持し、  
前記選択局受信レベルが前記第２の閾値以下である第２の場合は、前記基地局サーチ部が、他の基地局からの受信信号を受信するよう基地局サーチし、前記基地局選択部が、他の基地局からの受信信号のうち受信レベルが最大の基地局を接続基地局として選択し、  
前記選択局受信レベルが前記第1の閾値以下であって、かつ前記第２の閾値よりも大きい第３の場合は、該第３の場合の状態が所定時間を超えて継続したときに、前記基地局サーチ部が、他の基地局からの受信信号を受信するよう基地局サーチし、前記基地局選択部が、他の基地局からの受信信号のうち受信レベルが前記第1の閾値より大きい基地局があると、これを接続基地局として選択することを特徴とする無線移動局装置。
【００１１】
上述の無線基地局からの受信レベルは、例えば、無線基地局からの電波の受信信号強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を測定して、これを受信レベルとして設定することや、あるいは、この受信信号強度の測定に代えて、通信中のデータのビットエラーレートやフレームエラーレート等のエラーレートの測定を行い、このエラーレートに基づいて受信レベルを設定することができる。
【発明の効果】
【００１２】
本発明によれば、無線移動局装置が、受信レベルの第1の閾値、及び該第1の閾値よりも小さい第２の閾値を記憶しておき、接続中の基地局からの受信信号の受信レベルである選択局受信レベルが前記第２の閾値以下である場合は、基地局サーチして、受信レベルが最大の基地局を接続基地局として選択し、前記選択局受信レベルが前記第1の閾値以下であって、かつ前記第２の閾値よりも大きい場合は、その状態が所定時間を超えて継続したときに、基地局サーチして、受信レベルが前記第1の閾値より大きい基地局があると、これを接続基地局として選択するようにしているので、回線品質が悪化してしまう前に基地局切り替えを行うようにでき、また、受信信号レベルのより適切な無線基地局を選択するようにすることができ、また、選択基地局の偏りを抑制することができる。  
また、前記選択局受信レベルが前記第1の閾値以下であって、かつ前記第２の閾値よりも大きい場合において、その状態が所定時間を超えて継続したときに、基地局サーチするようにしているので、消費電力を節減することができる。つまり、多くの電力を費やす基地局サーチを頻繁に行うことを抑止しながら、所定の通信品質を確保することができ、消費電力と通信品質とのバランスをとることができる。
【００１３】
なお、上記本発明において、前記選択局受信レベルが前記第1の閾値以下であって、かつ前記第２の閾値よりも大きい第３の場合に基地局サーチした際、受信レベルが前記第1の閾値より大きい基地局を接続基地局として選択するようにしているが、選択局受信レベルより大きい基地局を接続基地局として選択するようにすることもできる。このようにすれば、現在接続中の基地局よりも回線品質の良い基地局に切り替えることができる。
【００１４】
また、上記本発明において、前記選択局受信レベルが前記第２の閾値以下である第２の場合に基地局サーチした際、受信レベルが最大の基地局を接続基地局として選択するようにしているが、選択局受信レベルより大きい基地局を接続基地局として選択するようにすることもできる。このようにすれば、現在接続中の基地局よりも回線品質の良い基地局に切り替えることができる。
【００１５】
また、上記本発明において、前記選択局受信レベルが前記第1の閾値以下であって、かつ前記第２の閾値よりも大きい第３の場合に、その状態が所定時間を超えて継続したときに、基地局サーチすることにしているが、所定時間継続するのを待たずに、基地局サーチするようにすることもできる。このようにすると、基地局サーチのために消費電力は増えるが、回線品質が悪化してしまう前に基地局切り替えを行うようにできる、また、受信信号レベルのより適切な無線基地局を選択するようにすることができる等の効果を有する。
なお、上記所定時間を超えた継続は、タイマによって判定してもよいし、選択局受信レベルの検出回数をカウンタ等によってカウントすることにより判定してもよい。
【図面の簡単な説明】
【００１６】
【図１】本発明に係る移動無線通信システムの構成例を示す図である。
【図２】本発明に係る無線移動局装置の構成例を示す図である。
【図３】本発明に係るハンドオーバ時の接続シーケンスの一例を示す説明図である。
【図４】本発明に係る無線移動局装置におけるハンドオーバ時の無線基地局選択処理例を示すフローチャート図である。
【発明を実施するための形態】
【００１７】
本発明を実施するための形態を、無線移動局装置としてＰＨＳを利用した通信システムを例として、図１を用いて説明する。図１は、本発明に係る移動無線通信システムの構成例を示す図である。図１に示すように、ＰＨＳを利用した移動無線通信システムは、工場や事業所等に用いられるものであり、複数の無線移動局装置（ＰＨＳ端末）７−１〜７−２と、複数の無線基地局３−１〜３−２と、回線制御装置５と、統制台６とを備えている。勿論、無線移動局装置７、無線基地局３は、それぞれ３以上を備えていてもかまわない。
【００１８】
ＰＨＳ端末７−１〜７−２は、利用者が携帯して通話やデータ通信を行うものである。
無線基地局３−１〜３−２は、ＰＨＳ端末７−１〜７−２と回線制御装置５との間の中継器であり、ＰＨＳ端末７−１〜７−２と無線通信を行うものである。各無線基地局３−１〜３−２はそれぞれ固有の無線基地局ＩＤを記憶している。  
また、無線基地局３−１〜３−２の通信エリア４−１〜４−２としては、それぞれ半径１００〜５００メートルのセルが形成される。
【００１９】
回線制御装置５は、システム内の通話やデータ通信の制御を行うものであり、無線基地局３−１〜３−２と、それぞれアプローチ回線２−１〜２−２により接続されている。回線制御装置５は、固有のシステムＩＤを記憶しており、回線制御装置５が複数存在する通信システムでは、この固有のＩＤでシステム毎の管理を行えるようにしている。また、回線制御装置５は、固定電話（図示しない）に有線で接続することが可能であり、その場合、固定電話同士、あるいは、固定電話とＰＨＳ端末７等との通話を行うものである。
【００２０】
上記通信システムにおいて、ＰＨＳ端末７−１〜７−２は、無線基地局３−１〜３−２に対してハンドオーバ要求を行って、この複数の無線基地局３−１〜３−２の通信エリア４−１〜４−２を移動しながら通話やデータ通信を継続するものである。
【００２１】
次に、本発明に係る無線移動局装置の構成例を説明する。図２は、本発明に係る無線移動局装置の構成例を示す図である。  
本例の無線移動局装置７は、移動通信システムにおける移動局であって、アンテナ２１と、ＳＷ２２と、受信部２３と、送信部２４と、受話部２５と、送話部２６と、操作部２７と、表示部２８と、記憶部２９と、タイマ３０と、制御部３１とを備えている。
【００２２】
ＳＷ２２は、送受信を切り替えるための高周波スイッチである。  
受信部２３は、基地局３からの電波をアンテナ２１及びＳＷ２２を介して受信し、受信信号を制御部３１へ出力するものである。  
送信部２４は、制御部３１から送られてくる音声信号やデータ信号に所定の処理を施し、ＳＷ２２及びアンテナ２１を介して電波で無線基地局に送信するものである。なお、受信部２３と送信部２４とを併せて、無線送受信部と称する。
【００２３】
受話部２５は、スピーカ等で構成され、入力された電気信号を音声信号に変換して出力するものである。  
送話部２６は、マイク等で構成され、入力された音声信号を電気信号に変換して出力するものである。
【００２４】
操作部２７は、「０」〜「９」「＊」「＃」を含むダイヤルキーや操作を制御するための十字キー等を備え、利用者が電話番号や操作制御の指示を入力するものである。  
表示部２８は、液晶ディスプレイ等で構成され、受信したデータを表示し、操作部２７の操作に従ってデータを表示するものである。
【００２５】
記憶部２９は、受信したデータ、操作部２７から入力されたデータ、使用可能な複数の基地局の無線周波数等を記憶しておくものである。また、記憶部２９には、後述する受信レベル検出部３３で検出された受信レベル検出値と、この受信レベル検出値の電波を送信した無線基地局の基地局ＩＤとを対応付けて記憶する。この受信レベル検出値や基地局ＩＤは、ハンドオーバ要求時に使用される。  
また、記憶部２９は、ハンドオーバの際の無線基地局選択処理に用いる第１の閾値や第２の閾値等を記憶しておくものである。例えば、第２の閾値は、位置登録及びハンドオーバに用いられる閾値とすることができ、第１の閾値は、ハンドオーバ専用の閾値とすることができる。位置登録に用いられる閾値は、ハンドオーバ専用の閾値よりも小さい値とすることが必要なので、第１の閾値は第２の閾値より大きい値に設定される。本実施の形態の場合は、第２の閾値は、従来例と同程度の「通信は可能だが回線品質は良好ではない」といった受信信号レベルに設定されるが、これに限定されるものではない。
【００２６】
制御部３１は、機能として、主制御部３２と、受信レベル検出部３３と、受信レベル比較部３４と、基地局サーチ部３５と、基地局選択部３６と、タイマ制御部３７とを備え、ハードウェア構成としては、ＣＰＵと、各種の動作プログラムが格納されるメモリとを備えている。制御部３１は、制御部３１のメモリに記憶された処理プログラムに従って動作し、制御部３１以外の各部を制御するものであり、例えば、ハンドオーバの際の無線基地局選択処理やハンドオーバ処理等を行うものである。
【００２７】
受信レベル検出部３３は、受信部２３で受信した電波の受信信号に基づき、該受信信号の受信レベルを検出するものである。なお、受信レベル検出部３３を受信部２３内に設けて、検出結果を制御部３１に送るように構成してもかまわない。  
受信レベル比較部３４は、受信レベル検出部３３が検出し出力する受信レベル検出値と、記憶部２９に予め設定されている前記第１の閾値や前記第２の閾値との比較を行うものである。
【００２８】
基地局サーチ部３５は、接続可能な基地局装置３を探索（基地局サーチ）するためのものであって、当該無線移動局装置７の受信周波数を、前記記憶部２９に記憶している使用可能な複数の基地局無線周波数に次々に切り替えて、該設定した周波数の信号を基地局装置３から受信するように制御するものである。  
具体的には、当該無線移動局装置７の受信周波数を、前記記憶部２９に記憶している使用可能な複数の基地局無線周波数のうちの第１の周波数に設定し、該設定した周波数の信号を基地局装置３から受信するように制御する。受信した受信信号の受信レベルは、受信レベル検出部３３で検出され、無線基地局３の基地局ＩＤと対応付けられて、記憶部２９に記憶される。  
次に、基地局サーチ部３５は、当該無線移動局装置７の受信周波数を、前記記憶部２９に記憶した使用可能な他の基地局無線周波数に設定し、該設定した周波数の信号を基地局装置３から受信するように制御する。受信した受信信号の受信レベルは、上記と同様に、受信レベル検出部３３で検出され、無線基地局３の基地局ＩＤと対応付けられて、記憶部２９に記憶される。
【００２９】
基地局選択部３６は、前記基地局サーチにより得られた他の基地局からの受信信号の受信レベルに基づき、接続する基地局を選択するものである。本実施の形態では、基地局選択部３６は、接続中の基地局からの受信信号の受信レベルである選択局受信レベルが前記第1の閾値よりも大きい第1の場合は、接続中の基地局との接続状態を維持し、前記選択局受信レベルが前記第２の閾値以下である第２の場合は、前記基地局サーチにより得られた他の基地局からの受信信号のうち受信レベルが最大の基地局を接続基地局として選択し、前記選択局受信レベルが前記第1の閾値以下であって、かつ前記第２の閾値よりも大きい第３の場合は、該第３の場合の状態が所定時間を超えて継続したときに前記基地局サーチにより得られた他の基地局からの受信信号のうち受信レベルが前記第1の閾値より大きい基地局があると、これを接続基地局として選択するように動作する。
【００３０】
タイマ制御部３７は、タイマ３０に所望の計測時間を設定することができ、タイマ３０の計測を開始することができ、また、タイマ３０の計測値をリセットすることができるものである。  
主制御部３２は、無線移動局装置７の呼処理を制御するほか、ＳＷ２２、受信部２３、送信部２４、受話部２５、送話部２６、操作部２７、表示部２８、受信レベル検出部３３、受信レベル比較部３４、基地局サーチ部３５、基地局選択部３６、タイマ制御部３７等を統括制御するものである。
【００３１】
次に、無線移動局装置７を用いた本通信システムのハンドオーバのシーケンスについて、図３を用いて説明する。図３は、無線移動局装置７を用いた本通信システムのハンドオーバ時の接続シーケンスの一例を説明する図である。  
図３において、無線移動局装置７としてのＰＨＳ端末７は、無線基地局３−１及び回線制御装置５を介して他のＰＨＳ端末や固定電話（図３では固定電話と通話を行っている）と通話中に、無線基地局３−１からの電波の劣化、すなわち、受信レベルの低下を検出すると、無線基地局選択処理へ移行する。
【００３２】
この無線基地局選択処理では、まず、通話を行うために通信を行っている無線基地局３−１以外に通信が行える無線基地局３を探索し、例えば、図３の場合には、通信を行っている無線基地局３−１以外の無線基地局３−２及び３−３からの電波を受信する。そして、無線基地局３−２及び３−３から受信した電波について、受信レベルの検出を行い、この検出した受信レベルに基づいて適切な無線基地局３を選択する処理を行う。無線基地局選択処理については、後で詳しく説明する。
【００３３】
上記の無線基地局選択処理が行われると、次にＰＨＳ端末７は、選択した無線基地局３に対するハンドオーバ要求処理へ移行する。このハンドオーバ要求処理では、選択した無線基地局３（図３では、無線基地局３−２）に対して、ＰＨＳ端末７は、ハンドオーバ要求を行う（Ｓ３１）。  無線基地局３−２は、ハンドオーバ要求を受信すると、回線制御装置５に送信する（Ｓ３２）。回線制御装置５は、ハンドオーバ要求を受信すると、乱数等を用いた認証演算処理を行って、ＰＨＳ端末７宛ての呼設定受付（Ｓ３３）及び認証要求（Ｓ３４）を無線基地局３−２へ出力する。
【００３４】
無線基地局３−２は、呼設定受付（Ｓ３３）及び認証要求（Ｓ３４）を受信すると、ＰＨＳ端末７へ呼設定受付（Ｓ３５）及び認証要求（Ｓ３６）を送信する。ＰＨＳ端末７は、無線基地局３−２を介して回線制御装置５からの呼設定受付（Ｓ３５）及び認証要求（Ｓ３６）を受信すると、乱数等を用いた認証演算処理を行って、演算結果を含む認証応答を無線基地局３−２に送信する（Ｓ３７）。
【００３５】
回線制御装置５は、無線基地局３−２を介して受信した認証応答（Ｓ３８）を受信すると、認証演算結果の照合を行い、認証演算結果がＯＫであれば、これ以降ＰＨＳ端末７からの通話を無線基地局３−２を介して通話を継続するものである。このようにして、ＰＨＳ端末７では、無線基地局選択処理及びハンドオーバ要求処理により、ハンドオーバ処理が行われて、通話やデータ通信が継続される。
【００３６】
次に、本発明の無線移動局装置７におけるハンドオーバ時の無線基地局選択処理動作に関し、図４のフローチャートを用いて説明する。図４は、本発明に係る無線移動局装置におけるハンドオーバ時の無線基地局の選択処理例を示すフローチャート図である。  
予め、無線移動局装置７の記憶部２９に、受信レベルの第1の閾値及び該第1の閾値よりも小さい第２の閾値を記憶しておく（図示しないステップＳ１）。  
その後、所定のタイミングにおいて、現在接続している選択中の無線基地局（選択局）である選択局３からの受信信号を受信部２３で受信し、該選択局３からの受信信号に基づき、受信レベル検出部３３で受信レベルの検出を行う（図４のステップＳ２）。次に、前記検出した選択局３からの受信信号の受信レベル（選択局受信レベル）と、記憶部２９に記憶した第1の閾値との比較を、受信レベル比較部３４で行う（図４のステップＳ３）。
【００３７】
比較した結果、前記選択局受信レベルが、第1の閾値よりも大きい第１の場合（図４のステップＳ３でＮｏ）は、タイマ制御部３７でタイマ３０の計測値をリセットして（図４のステップＳ４）、選択局３との接続状態を維持したまま、図４のステップＳ２に戻る。
前記選択局受信レベルが、第１の閾値以下であって（図４のステップＳ３でＹｅｓ）、かつ、第２の閾値以下である第２の場合（図４のステップＳ５でＹｅｓ）は、基地局サーチ部３５により選択局３以外の他の基地局からの受信信号を受信して、前記受信レベル検出部３３で受信信号の受信レベルを調べ（図４のステップＳ６）、基地局選択部３６で、他の基地局からの受信信号のうち受信レベルが最大の基地局を接続基地局として選択する（図４のステップＳ７）。
【００３８】
前記選択局受信レベルが第1の閾値以下であって、かつ、第２の閾値よりも大きい第３の場合（図４のステップＳ５でＮｏ）は、タイマ制御部３７でタイマ３０の計測値がゼロか否かを判断する（図４のステップＳ８）。タイマ３０の計測値がゼロであった場合（図４のステップＳ８でＹｅｓ）は、タイマ制御部３７がタイマ３０の計測を開始させて（図４のステップＳ９）、選択局３との接続状態を維持したまま、図４のステップＳ２に戻る。  
タイマ３０の計測値がゼロでなかった場合（図４のステップＳ８でＮｏ）は、タイマ制御部３７でタイマ３０の計測値が所定の値Ｘよりも大きいか否かを判断する（図４のステップＳ１０）。すなわち、前記選択局受信レベルが第1の閾値以下であって、かつ、第２の閾値よりも大きい状態が、所定の時間（Ｘに対応する時間）を超えて継続しているか否かを判断する。タイマ３０の計測値が所定の値Ｘ以下であった場合（図４のステップＳ１０でＮｏ）は、選択局３との接続状態を維持したまま、図４のステップＳ２に戻る。
【００３９】
タイマ３０の計測値が所定の値Ｘよりも大きかった場合（図４のステップＳ１０でＹｅｓ）は、基地局サーチ部３５により選択局３以外の他の基地局からの受信信号を受信して、前記受信レベル検出部３３で受信信号の受信レベルを調べ（図４のステップＳ１１）、前記受信レベル比較部３４で、他の基地局からの受信信号中に、受信レベルが前記第1の閾値より大きい基地局があるか否かを判断する（図４のステップＳ１２）。  
選択局３以外の他の基地局からの受信信号中に、受信レベルが前記第1の閾値より大きい基地局がある場合（図４のステップＳ１２でＹｅｓ）は、当該基地局を、基地局選択部３６で接続基地局として選択する（図４のステップＳ１３）。選択局３以外の他の基地局からの受信信号中に、受信レベルが前記第1の閾値より大きい基地局がない場合（図４のステップＳ１２でＮｏ）は、選択局３との接続状態を維持したまま、図４のステップＳ２に戻る。
【００４０】
なお、図４のフローチャートにおいては、先にステップＳ３で、前記選択局受信レベルと第１の閾値との比較を行い、次にステップＳ５で、前記選択局受信レベルと第２の閾値との比較を行ったが、順番を逆にして、前記選択局受信レベルと第２の閾値との比較を、第１の閾値との比較よりも、先に行ってもかまわない。すなわち、まず前記選択局受信レベルと第２の閾値との比較を行って、受信レベルが第２の閾値以下である場合は、基地局サーチを行って受信レベルが最大の基地局を接続基地局として選択し（図４のステップＳ７に相当）、受信レベルが第２の閾値よりも大きい場合は、前記選択局受信レベルと第１の閾値との比較を行う。そして、前記選択局受信レベルが第１の閾値以下である場合は、タイマ３０の計測値が所定の値Ｘよりも大きく、かつ、他の基地局からの受信信号中に、受信レベルが前記第１の閾値より大きい基地局があれば、当該基地局を、基地局選択部３６で接続基地局として選択する（図４のステップＳ１３に相当）ようにする。
【００４１】
なお、本発明は、本発明に係る処理を実行する無線移動局装置だけでなく、本発明に係る処理を実行する方法、システムとして、或いは、本発明に係る方法やシステムを実現するためのプログラムや当該プログラムを記録する記録媒体などとして把握することができる。また、本発明は、ＣＰＵがメモリに格納された制御プログラムを実行することにより制御する構成としてもよく、あるいは、ハードウエア回路として構成することもできる。
また、本発明の無線移動局装置は上述したＰＨＳに限定されるものではなく、例えば、自動販売機などのＤＴＥ（Ｄａｔａ  Ｔｅｒｍｉｎａｌ  Ｅｑｕｉｐｍｅｎｔ）に接続される無線通信端末であってもよいし、防災無線システムや業務無線システムなどの自営系無線通信システム、又は公衆系無線通信システムにおける各種無線通信装置であってもよい。
【符号の説明】
【００４２】
１・・統制局、２・・アプローチ回線、３・・無線基地局、４・・通信エリア、５・・回線制御装置、６・・統制台、７・・無線移動局装置、２１・・アンテナ、２２・・高周波スイッチ（ＳＷ）、２３・・受信部、２４・・送信部、２５・・受話部、２６・・送話部、２７・・操作部、２８・・表示部、２９・・記憶部、３０・・タイマ、３１・・制御部、３２・・主制御部、３３・・受信レベル検出部、３４・・受信レベル比較部、３５・・基地局サーチ部、３６・・基地局選択部、３７・・タイマ制御部。
【図１】
2010219997.tif 000003
【図２】
2010219997.tif 000004
【図３】
2010219997.tif 000005
【図４】
2010219997.tif 000006